(57)【要約】【課題】扉や間仕切り等の空間仕切パネルで構造を簡略化し、省スペースを図る。【解決手段】第一板材１０、第二板材２０は、開放部３５と閉鎖部３５とが上下に並列し、第二板材２０は可撓性を有する。第一板材１０の内面２に受け突起５を突設し、第二板材２０の内面１２に係止突起１５を突設して、外面１３に操作摘み１８を形成する（ｂ、ｃ）。第一板材１０と第二板材２０とを、内面２、１２を対向させて重ね、枠体２２内に、第二板材２０の昇降を可能に支持して、戸棚用の扉３０とする（ａ、ｂ）。係止解除状態で、両板材１０、２０で閉鎖部３４と開放部３５とが対向し、開放状態となり、透視４８できる（ｂ）。第二板材２０を湾曲させて上昇して（ｃ）、係止突起１５を受け突起５に係止し、係止状態として、閉鎖部３４と開放部３５とが対向し、閉鎖状態となる（ｄ）。【選択図】図１
2004353238.tif 000002
【特許請求の範囲】
【請求項１】
以下の構成としたことを特徴とする空間仕切パネル。
（１）  第一板材及び第二板材は、所定間隔で開放部と閉鎖部とを上下に交互に形成する。
（２）  前記第一板材の内面に受け突起を突設して構成する。
前記第二板材は可撓性材料から形成し、その内面に、前記受け突起に係止できる係止突起を突設し、その外面に操作摘みを突設して構成する。
（３）  前記第一板材と前記第二板材とを、内面を対向させて、枠体内に支持し、前記第二板材を上下動自在に設置する。
（４）  前記両板材は、係止状態又は係止解除状態の二位置を保持でき、いずれかの位置で前記両板材の開放部が対向して開放状態となり、他の位置で両板材の開放部と閉鎖部とが対向して閉鎖状態となる、ように配置した。
【請求項２】
以下の構成としたことを特徴とする空間仕切パネル。
（１）  第一板材及び第二板材は、所定間隔で開放部と閉鎖部とを上下に交互に形成する。
（２）  前記第一板材の内面に受け突起を突設して構成する。
前記第二板材は可撓性材料から形成し、その内面に、前記受け突起に係止できる係止突起を突設し、その外面に第二操作摘みを突設して構成する。
（３）  前記第一板材と前記第二板材とを、内面を対向させて配置し、
前記第二板材の内面から、前記第二板材の厚さ方向に突出した操作軸を第一板材の縦方向の長孔を貫通し、該操作軸の先端に、前記第一板材の外側に配置した第二操作摘みを固定する。
（４）  前記両板材は、係止状態又は係止解除状態の二位置を保持でき、いずれかの位置で前記両板材の開放部が対向して開放状態となり、他の位置で両板材の開放部と閉鎖部とが対向して閉鎖状態となる、ように配置した。
【請求項３】
第一板材内面に、長孔を挟んで両側に受け突起を夫々形成し、第二板材の内面で、前記受け突起に対応した位置に係止突起を配置した請求項２記載の空間仕切パネル。
【請求項４】
受け突起は、上面に受け面を形成し、上面から下方に向けて第一板材側に傾斜する傾斜面を形成し、係止突起は、下面に係止面を形成し、下面から上方に向けて第二板材側に傾斜する傾斜面を形成したことを特徴とする請求項１又は２に記載の空間仕切パネル。
【発明の詳細な説明】
【０００１】
【発明の属する技術分野】
本発明は、棚等の家具の扉や部屋のドア・窓・間仕切り等の空間を２つに区切って仕切る際に使用する空間仕切パネルに関する。
【０００２】
【従来の技術】
従来、透過度の高いストライプと遮蔽度の高いストライプとを交互に形成した縞柄の２枚の板を重ね合わせて、２枚の板の相対位置を変化させることにより、２枚の板を通過する透光量を変化させる工夫がなされていた。
【０００３】
例えば、１枚のパネルの下端を不動状態で定置して、他方のパネルの下端を階段状段部で、支持して、２枚のパネルの相対位置を変化させて、透光量を変化させるブラインドが提案されている（特許文献１）。この場合、２枚のパネルの上端部は、１つの溝部５ａに常に嵌入されて保持されていた。
【０００４】
また、他の発明は、２つの透過板の内、可動透過板の下端を操作手段８により上下動できる構造としたシステムキッチンの収納ボックスの扉等に用いられる透視パネルが提案させている（特許文献２）。この発明では、操作手段８では操作部１２の水平方向の移動を可動透過板７ａの上下動に変換する為に、直進動カム１４、回転レバー１５、支持板１６を備えている。
【０００５】
【特許文献１】実公平５−２２６３１号公報
【０００６】
【特許文献２】特開２００２−５４３７１号公報
【０００７】
【発明が解決しようとする課題】
前記従来の技術の内、前者のものは、パネルの下端を段部に位置させた場合、上端は、溝部にあるので、パネルが斜めに位置するので、見栄えが悪い問題点があった。また、パネルの厚さ方向に、パネルを斜めにずらす段部が必要であり、少なくとも、パネルの３枚分程度の厚さを要する問題点があった。
【０００８】
また後者のものでは、可動透過板７ａの下方に操作手段８を納めるスペースが必要であり、透過パネル中での透過スペースが狭くならざるを得ない問題点があった。
【０００９】
【課題を解決するための手段】
然るにこの発明では、受け突起を有する第一板材と係止突起を有し可撓性材料からなる第二板材とを対向させたので、前記問題点を解決した。
【００１０】
即ちこの発明は、以下の構成としたことを特徴とする空間仕切パネルである。
（１）  第一板材及び第二板材は、所定間隔で開放部と閉鎖部とを上下に交互に形成する。
（２）  前記第一板材の内面に受け突起を突設して構成する。前記第二板材は可撓性材料から形成し、その内面に、前記受け突起に係止できる係止突起を突設し、その外面に操作摘みを突設して構成する。
（３）  前記第一板材と前記第二板材とを、内面を対向させて、枠体内に支持し、前記第二板材を上下動自在に設置する。
（４）  前記両板材は、係止状態又は係止解除状態の二位置を保持でき、いずれかの位置で前記両板材の開放部が対向して開放状態となり、他の位置で両板材の開放部と閉鎖部とが対向して閉鎖状態となる、ように配置した。
【００１１】
また、他の発明は、以下の構成としたことを特徴とする空間仕切パネルである。
（１）  第一板材及び第二板材は、所定間隔で開放部と閉鎖部とを上下に交互に形成する。
（２）  前記第一板材の内面に受け突起を突設して構成する。前記第二板材は可撓性材料から形成し、その内面に、前記受け突起に係止できる係止突起を突設し、その外面に第二操作摘みを突設して構成する。
（３）  前記第一板材と前記第二板材とを、内面を対向させて配置し、前記第二板材の内面から、前記第二板材の厚さ方向に突出した操作軸を第一板材の縦方向の長孔を貫通し、該操作軸の先端に、前記第一板材の外側に配置した第二操作摘みを固定する。
（４）  前記両板材は、係止状態又は係止解除状態の二位置を保持でき、いずれかの位置で前記両板材の開放部が対向して開放状態となり、他の位置で両板材の開放部と閉鎖部とが対向して閉鎖状態となる、ように配置した。
【００１２】
また、前記において、第一板材内面に、長孔を挟んで両側に受け突起を夫々形成し、第二板材の内面で、前記受け突起に対応した位置に係止突起を配置した空間仕切パネルである。また、他の発明は、受け突起は、上面に受け面を形成し、上面から下方に向けて第一板材側に傾斜する傾斜面を形成し、係止突起は、下面に係止面を形成し、下面から上方に向けて第二板材側に傾斜する傾斜面を形成したことを特徴とする空間仕切パネルである。
【００１３】
前記における「可撓性」とは、曲げた状態で、受部材と係止突起との係止又は係止解除で、開放状態と閉鎖状態とに移動できる程度の弾力を有すれば良い。上部縁、両側縁を枠体により拘束されている場合には、操作摘みが形成されている下端部中央部分、又は中間部中央部分が多少湾曲できれば可能である。
【００１４】
また、前記における空間仕切パネルとは、戸棚などの家具の扉、部屋のドアの扉などの扉類、壁や窓、間仕切り、机の上に載置するサイドパネルなど、空間を２つに区切るパネル状のものであれば含まれる。
【００１５】
また、前記における「開放状態」「閉鎖状態」とは、空間仕切パネルの用途により、状態が異なる。例えば、視界を問題とする用途（例えば、戸棚の扉等）に空間仕切パネルを使用する場合には、透視ができる透過状態、透視ができない遮蔽状態を夫々指す。また、光量を問題とする用途（例えば、窓のブラインド等）に空間仕切パネルを使用する場合には、光を通す明るい状態、光を塞ぐ暗い状態を夫々指す。また、換気を問題とする用途（例えばドアや窓等）に空間仕切パネルを使用する場合には、空気が流れる状態、空気が流れを塞ぐ状態を夫々指す。
【００１６】
従って、前記における「開放部」「閉鎖部」も空間仕切パネルの用途により異なった構造となり、前記のような「開放状態」「閉鎖状態」と対応する。
【００１７】
【発明の実施の形態】
（１）  第一板材１０、第二板材２０は、巾Ｌの開放部３５と巾Ｌの閉鎖部３５とを上下に交互に形成する。第二板材２０は可撓性を有する材料から構成する。可撓性を有する材料として、例えば、いわゆるアクリル、スチロールの他、ＡＳ、ＡＢＳ、ＰＰ、ＰＥ等が考えられる。
【００１８】
（２）  第一板材１０の内面２に受け面６を有する受け突起５を突設してある（図２）。第二板材２０の内面１２に、受け突起５の受け面６に載置係止できる係止突起１５を突設して、外面１３に操作摘み１８を形成してある（図３）。
【００１９】
（３）  第一板材１０と第二板材２０とを、内面２、１２を対向させて重ね、重ねた第一板材１０、第二板材２０を、長方形の枠体２２内に支持する。第一第二板材１０、２０は枠体２２の側枠材２５、２５により横方向の移動が拘束される。また、第二板材２０は、枠体２２内で昇降可能に支持される。以上のようにして戸棚用の扉３０を構成する（図１）。
【００２０】
（４）  係止解除状態で、係止突起１５の係止面６は、受け突起５の受け面６に載置されず、両板材１０、２０で閉鎖部３４と開放部３５とが対向して、両開放部３５、３５を通して、戸棚内を透視できる（図１（ｂ））。
【００２１】
操作摘み１８を引き、第二板材２０を湾曲させながら上昇させれば（図１（ｃ））、係止突起１５の係止面を、受け突起５の受け面６に載置係止して、係止状態を保持できる。係止状態で、両板材１０、２０で、閉鎖部３４と開放部３５とが対向し、各開放部３５を閉鎖部３４が塞ぎ、戸棚３０内を遮蔽する（図１（ｄ））。
【００２２】
【実施例１】
図１〜図３に基づきこの発明の実施例を説明する。この発明を戸棚の扉に応用した実施例を説明する。
【００２３】
［１］第一板材１０の構成
【００２４】
透明材料からなる基材１の内面２に、巾Ｌの遮蔽テープ（閉鎖部）３４、３４を、等間隔Ｌで上下に並列して貼る。基材１の内面２の下端部に、上面に受け面６を有する受け突起５を固定する。受け突起５は、上面６から下端に向けて基材１側に傾斜する傾斜面７を形成し、高さＬで形成してある（図２（ｃ））。以上のようにして、第一板材１０を構成する（図２）。遮蔽テープ３４、３４の貼っていない間隙を透過部（開放部）３５とする。
【００２５】
［２］第二板材２０の構成
【００２６】
透明で可撓性を有する材料からなる基材１１の内面１２に、巾Ｌの遮蔽テープ（閉鎖部）３４、３４を、等間隔Ｌで上下に並列して貼る。基材１１の内面１２の下端部に、下面に係止面１６を有する係止突起１５を固定する。係止突起１５は、係止面１６から上端に向けて基材１１側に傾斜する傾斜面１７を形成し、高さＬで形成してある（図３（ｃ））。基材１１の外面１３の下端部で、係止突起１５の位置に対応させて、長方形状の操作摘み１８を突設固定する。以上のようにして、第二板材２０を構成する（図３）。遮蔽テープ３４、３４の貼っていない間隙を透過部（開放部）３５とする。
【００２７】
［３］戸棚用の扉３０の構成
【００２８】
（１）  上下枠材２３、２４を側枠材２５、２５で連結してなる長方形状の枠体２２内に、第一板材１０と第二板材２０とを内面２、１２を対向させて、配置する。この状態で、両板材１０、２０の下端１０ｂ、２０ｂは、下枠体材２４上に載置され、両板材１０、２０の側縁１０ｃ、２０ｃは、側枠材２５、２５に横方向の移動が規制された状態で側枠材２５、２５内に収容され、両板材１０、２０の上縁１０ａ、２０は上枠材２３内に収容され、上枠材２３内には、少なくとも高さＬの収容部２６が形成されて、上昇した位置の第二板材２０の上端部を収容できるようになっている。また、係止突起１５と受け突起５とは両傾斜面１６、６が当接して配置される。
【００２９】
以上のようにして、戸棚用の扉３０を構成する（図１（ａ）（ｂ））。ここで、第一板材１０は枠体に固定することが望ましいが、第二板材２０と同様に、枠体２２の下枠材２４に載置しただけでも可能である。
【００３０】
（２）  前記戸棚用の扉３０は、例えば一側３１に蝶番３２、３２を取り付けて、第一板材１０を戸棚の収容庫側に配置して設置する。通常の状態では、係止突起１５の係止を解除した状態で、第二板材２０は枠体２２の下枠材２４に載置し、両板材１０、２０の遮蔽テープ３４、３４同士、透過部３５、３５同士が対向して、透過状態（開放状態）となる（図１（ａ）（ｃ））。従って、重なった透過部３５、３５の外から戸棚３０の収容庫内の収容物（食器等）が矢示４８のように目視できる（図１（ｂ））。
【００３１】
また、来客時等で、収容庫内の収容物を見られたく無い場合には、操作摘み１８を持って第二板材２０を引き上げると、係止突起１５の傾斜面１７が、受け突起５の傾斜面７に案内されて摺動しながら、第二板材２０は、係止突起１５付近（操作摘み１８付近）が外側に凸となるように湾曲して、受け突起５を越えて（図１（ｃ））、高さＬだけ上昇し、係止突起１５の係止面１６を受け突起５の受け面６に係止する（図１（ｄ））。この状態で、遮蔽状態（閉鎖状態）となり、収容庫内の収容物を隠すことができる。
【００３２】
尚、両板材１０、２０は、上端縁１０ａ、２０ａ及び左右側縁１０ｃ、２０ｃを枠体２２に拘束されているので、第二板材２０を湾曲させて昇降させる際に、両板材１０、２０が枠体２２から外れない。また、この際に、第一第二板材１０、２０は枠体２２内にあり、ほぼ密着状態にあるので、扉の開け閉めの時に第一第二板材１０、２０がぐらつかず、開閉に支障がない。
【００３３】
また、元に戻す場合には、操作摘み１８を手前に引き、第二板材２０を湾曲させて、受け突起５を越えて（図１（ｃ））、係止面１６を受け面６から外して、第二板材２０を若干下げれば、傾斜面７、１７が当接して案内され、第二板材２０は元に戻る（図１（ｂ））。
【００３４】
［４］他の実施例
【００３５】
（１）  また、前記実施例において、操作摘み１８、各突起５、１５は、別体を突設したが、基材１、１１と一体に成型することも可能である（図示していない）。また、Ｕ字状部材２８の一側に操作摘み１８を、他側に係止突起１５を突設して、Ｕ字状部材２８を、矢示５０のように基材１１の下方から、基材１１の下端部に嵌装して、係止突起１５及び操作摘み１８を形成することもできる（図３（ｄ））。また、Ｕ字状部材２８５に受け突起５を突設して同様に基材１に嵌装して受け突起５を形成することもできる（図示していない）。
【００３６】
（２）  また、前記実施例において、基材１、１１は、透明材料に遮蔽テープ３４を貼って形成したが、実際の製造上は、透明材料の表面に遮蔽テープ３４の位置に透過性の無い塗料を塗布（印刷）して構成することが望ましい。また、予め、透過部３５と遮蔽テープ３４の模様を形成したフィルムを、透明材料の表面にに貼付して構成することも望ましい製造形態である。
【００３７】
また、透過部３５と遮蔽部３４の構成は、他の構成とすることもできる。例えば、透明材料の肉厚内に巾Ｌの遮蔽材料を埋め込んで構成することもできる。また、巾Ｌの帯状の透明材料及び遮蔽材料とを上下方向に積層して、基材１、１１を構成することもできる（図示していない）。また、遮蔽テープ３４に代わり、透明材料の基材１、１１を使用して、遮蔽テープ３４の位置に磨りガラス状のブラスト加工を施すこともできる（図示していない）。
【００３８】
尚、前記において、戸棚等に使用する場合には、透明材料とは、戸棚に収容した食器類を外から目視できる程度の透光性を有し、遮蔽材料は、戸棚に収容した食器類を透過できない程度に光を遮断できれば、その材料を採用できる。透過性、遮光性の程度は使用する目的と場所により種々選択して使用できる。
【００３９】
（３）  また、前記実施例において、透光性を有しない基材１、１１で、透過部３５、３５の位置（遮蔽テープ３４、３４の間隙の位置）で、横長で巾Ｌの開口を形成して、残余の基材１、１１を遮蔽部３４、３４とし、開口部分を透過部３５、３５として構成することもできる（図示していない）。この場合には、透過状態で、扉３０を介して、透過部３５、３５を通じて換気もできる。
【００４０】
（４）  また、前記実施例において、係止突起１５、受け突起５は、傾斜面１７、７を形成したので、第二板材２０の昇降作業を案内できるので望ましいが、傾斜面７、１７を有しない構造とすることもできる（図示していない）。即ち、係止面１６と受け面６とを有すれば、係止突起１７と受け突起５の組合せは任意であり、例えば、第二板材２０の内面に突起を形成し、第一板材１０に溝を形成して構成することもできる（図示していない）。この場合には、第一板材１０と第二板材２０の内面同士が当接した状態にでき、枠体２２の厚さを大幅に小さくできる。
【００４１】
また、受け突起５と係止突起係１５の高さを夫々Ｌで形成することが望ましいが、係止状態と係止解除状態で、高さＬ程度（遮蔽テープ３４及び間隙３５の長さＬに相当する）を確保できる構造であれば、高さは任意である。
【００４２】
（５）  また、前記実施例において、係止解除状態（即ち両板材１０、２０の下端１０ｂ、２０ｂが枠体２２の下枠材２４に載置した状態。図１（ｂ））で、第一板材１０の遮蔽テープ３４、３４と第二板材２０の遮蔽テープ３４、３４とが対向して、戸棚内を透視できるするように形成したが、係止解除状態（図１（ｂ））で、遮蔽テープ３４と透過部３５とが対向するように、遮蔽テープ３４を配置して構成することもできる（図示していない）。この場合、係止状態（図１（ｄ））で、両板材１０、２０の遮蔽テープ３４が対向して、対向した透過部３５、３５から戸棚内を透視できる（図示していない）。
【００４３】
（６）  また、前記実施例において、遮蔽テープ３４と透過部３５とを巾Ｌで上下に並列して形成したが、遮蔽テープ３４と透過部３５とが上下に交互に形成されていれば、他の配置とすることもできる。例えば、市松模様のように形成することもできる（図示していない）。
【００４４】
【実施例２】
図４〜図６に基づきこの発明の実施例を説明する。この発明は、間仕切り用に両側に操作摘みを設けて操作できるようにした実施例である。
【００４５】
［１］第一板材１０の構成
【００４６】
実施例１と同様に、透明材料からなる基材１の内面２に、巾Ｌの遮蔽テープ（閉鎖部）３４、３４を、等間隔Ｌで上下に並列して貼る。基材１のほぼ中央部に、上下に長い長孔３７を穿設し、長孔３７の両側に、実施例１と同様の受け突起５、５を固定する。受け突起５は、実施例１と同様で、上面の受け面６と下端にかけて傾斜面７を形成してある。以上のようにして、第一板材１０を構成する（図５）。遮蔽テープ３４、３４の貼っていない間隙を透過部（開放部）３５とする。尚、別途操作用の第一操作摘み４２を用意しておく（図６鎖線図示４２）。
【００４７】
［２］第二板材２０の構成
【００４８】
実施例１と同様に、透明で可撓性を有する材料からなる基材１１の内面１２に、巾Ｌの遮蔽テープ（閉鎖部）３４、３４を、等間隔Ｌで上下に並列して貼る。基材１１の中央部に、長孔３７に対応して形成した透孔４１に、操作軸３８を貫通させ、操作軸３８を挟んで両側に、実施例１と同様な係止突起１５、１５を固定する。係止突起１５は、下面の係止面１６と上端に向けての傾斜面１７とを有する。基材１１の外面中央部に第二操作摘み４２を固定し、操作軸３８の一端３９を第二操作摘み４３に固定する。以上のようにして、第二板材２０を構成する。遮蔽テープ３４、３４の貼っていない間隙を透過部（開放部）３５とする。
【００４９】
［３］間仕切り４６の構成
【００５０】
（１）  実施例１と同様の構造で、上下枠材２３、２４を側枠材２５、２５で連結してなる長方形状の枠体２２内に、第一板材１０と第二板材２０とを内面２、１２を対向させて、配置する。
【００５１】
この状態で、両板材１０、２０の下端１０ｂ、２０ｂは、下枠体材２４上に載置され、両板材１０、２０の側縁１０ｃ、２０ｃは、側枠材２５、２５内に収容され、両板材１０、２０の上縁１０ａ、２０は上枠材２３内に収容され、上枠材２３内には、少なくとも高さＬの収容部２６が形成されて、上昇した位置の第二板材２０の上端部を収容できるようになっている。また、係止突起１５と受け突起５とは両傾斜面１６、６が当接して配置される。
【００５２】
また、操作軸３８の他端４０は、長孔３７の下端部を貫通して、第一板材１０の外面３より外方に突出し、操作軸３８の他端４０に、第二操作摘み４３と同一形状の第一操作摘み４２の中央に固定する。この状態で、第一操作摘み４２の第一板材１０側の面４２ａと第一板材１０の外面３とに、第二板材２０の湾曲量に相当する間隙４４が形成される（図４（ｂ））。
【００５３】
以上のようにして、間仕切り４６を構成する（図４（ａ）（ｂ））。ここで、第一板材１０は枠体２２に固定することが望ましいが、第二板材２０と同様に、枠体２２の下枠材２４に載置しただけでも可能である。
【００５４】
（２）  前記間仕切り４６は、通常の間仕切りと同様に、１つ又は複数を連結して床等の上に載置し、あるいは天井等から吊る等して配置して使用する。
【００５５】
通常の状態では、係止突起１５の係止を解除した状態で、第二板材２０は枠体２２の下枠材２４に載置し、両板材１０、２０の遮蔽部テープ３４、３４同士、透過部３５、３５同士が対向して、光を通す状態（開放状態）となる（図４（ａ）（ｃ））。従って、重なった透過部３５、３５を通して、間仕切り４６の両側を矢示４９のように光が入り、また他側を目視できる（図４（ｂ））。また、この状態で、操作棒３８は、長孔３７の下端部に位置している。
【００５６】
また、透視を解除し、あるいは間仕切り４６を通した採光量を制限する場合には、第一操作摘み４２又は第二操作摘み４３のいずれかを持って第二板材２０を引き上げると、実施例１と同様に、係止突起１５の傾斜面１７が、受け突起５の傾斜面７に案内されて摺動しながら、第二板材２０は、係止突起１５付近（操作摘み１８付近）が外側に凸となるように湾曲して、受け突起５を越えて（図４（ｃ））、高さＬだけ上昇し、係止突起１５の係止面１６を受け突起５の受け面６に係止して、光を塞ぐ状態（閉鎖状態）となる（図４（ｄ））。また、この状態で、操作棒３８は、長孔３７の上端部に位置する。また、この状態（上昇した状態）で、第二板材２０の下端２０ｂは、枠体２２の下枠材２４に収容され、外側から見えない（図４（ｄ）（ｃ））。
【００５７】
また、元に戻す場合には、第一操作摘み４２又は第二操作摘み４３を手前に引き、第二板材２０を湾曲させて、受け突起５を越えて（図４（ｃ））、係止面１６を受け面６から外して、第二板材２０を若干下げれば、傾斜面７、１７が当接して案内され、第二板材２０は元に戻る（図４（ｂ））。
【００５８】
これらの操作の際に、第一操作摘み４２と第二操作摘み４３とは操作軸３８で連結固定されているので、間仕切り４６の何れの側から操作しても、同様の操作性が得られる。
【００５９】
［４］他の実施例
【００６０】
（１）  前記実施例において、両操作摘み４２、４３は板材１０、２０の中央部に設置したので、バランス良く操作できるが、左右方向（水平方向）で、ほぼ中央部に位置していれば、上下方向は、上側、下側の何れに配置しても可能である（図示していない）。
【００６１】
（２）  また、前記実施例において、長孔３７、受け突起５、透孔４１、操作軸３８、係止突起１５は、操作操作摘み４２、４３間に隠れ、正面側からは見えないように形成したので、見栄えが良いが、係る点を考慮しなければ、小形の操作摘み４２、４３を採用することもできる（図示していない）。
【００６２】
（３）  また、前記実施例において、操作摘み４３は、第二板材２０の外面に固定したが、操作軸３８に固定されて、第二板材２０を昇降させることができれば、第二板材２０の外面には固定しなくてもよい（図示していない）。
【００６３】
（４）  その他の他の構成は、前記実施例１と同様である。
【００６４】
【発明の効果】
この発明の空間仕切パネルは、開放部と閉鎖部とを上下に形成した第一板材と第二板材とを内面を対向して第二板材を配置し、第一板材の内面に受け突起を形成し、第二板材の内面に係止突起を形成すると共に第二板材を可撓性を有する材料で形成した。従って、第二板材を湾曲しながら昇降させれば、係止突起と受け突起とを係脱でき、容易に開放部同士が重なった開放状態、開放部と閉鎖部とが重なった閉鎖状態を形成することができる効果がある。また、第二板材を湾曲させて昇降するだけで確実に操作できるので、空間仕切パネルの構造を簡略化して、第一第二板材の周囲に操作機構の為のスペースを必要としないので、パネル全体を薄く形成できると共に、パネルの広い範囲に開放部を形成できる効果がある。
【００６５】
また、第二板材を湾曲させなければ、係脱の切替ができないので、不慮に係脱状態が切り替わるおそれがなく、係止状態、解除状態を確実に維持できる効果がある。
【００６６】
また、受け突起と係止突起に傾斜面を形成すれば、解除状態で両板材の傾斜面を重ねることができ、解除状態をより確実に保持できる効果がある。また、解除状態から係止状態、係止状態から解除状態を切り替える際に、両傾斜面を重ねて案内させながら、第二板材を昇降させることができるので、切替作業が容易かつ確実にできる効果がある。
【図面の簡単な説明】
【図１】この発明の実施例１で、（ａ）は枠体を破折した正面図、（ｂ）〜（ｄ）は（ａ）のＡ−Ａ線における断面図で、（ｂ）は係止解除状態、（ｃ）は係止途中、（ｄ）は係止状態を夫々表す。
【図２】同じく実施例１で使用する第一板材で、（ａ）は平面図、（ｂ）は正面図（外面側）、（ｃ）は側面図である。
【図３】同じく実施例１で使用する第二板材で、（ａ）は平面図、（ｂ）は裏面図（内面側）、（ｃ）は側面図、（ｄ）はＵ字状部材を使用した実施例の側面図である。
【図４】この発明の実施例１で、（ａ）は枠体を破折した正面図、（ｂ）〜（ｄ）は（ａ）のＢ−Ｂ線における断面図で、（ｂ）は係止解除状態、（ｃ）は係止途中、（ｄ）は係止状態を夫々表す。
【図５】同じく実施例２で使用する第一板材で、（ａ）は平面図、（ｂ）は正面図（外面側）、（ｃ）は側面図である。
【図６】同じく実施例２で使用する第二板材で、（ａ）は平面図、（ｂ）は裏面図（内面側）、（ｃ）は側面図である。
【符号の説明】
１    基材（第一板材）
２    基材の内面
３    基材の外面
５    受け突起
６    受け突起の受け面
７    受け突起の傾斜面
１０  第一板材
１０ａ  第一板材の上端縁
１０ｂ  第一板材の下端縁
１０ｃ  第一板材の側端縁
１１  基材（第二板材）
１２  基材の内面
１３  基材の外面
１５  係止突起
１６  係止突起の係止面
１７  係止突起の傾斜面
１８  操作摘み
２０  第二板材
２２  枠体
２３  枠体の上枠材
２４  枠体の下枠材
２５  枠体の側枠材
２６  枠体の収容部
３０  戸棚用の扉（空間仕切パネル）
３１  扉の一側
３２  扉の蝶番
３４  遮蔽テープ（閉鎖部）
３５  透過部（開放部）
３７  長孔
３８  操作軸
３９  操作軸の一端
４０  操作軸の他端
４１  透孔
４２  第一操作摘み
４３  第二操作摘み
４６  間仕切り（空間仕切パネル）
【図１】
2004353238.tif 000003
【図２】
2004353238.tif 000004
【図３】
2004353238.tif 000005
【図４】
2004353238.tif 000006
【図５】
2004353238.tif 000007
【図６】
2004353238.tif 000008